【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
ランダムコポリ（ホスホネートカーボネート）であって、カーボネートおよびホスホネートモノマー由来のランダムに分布したモノマー単位を有し、ゲル浸透クロマトグラフィーで測定約１０，０００ｇ／モル〜約１００，０００ｇ／モルの重量平均分子量を有し、且つ約２〜約７の多分散性を有するものである、ランダムコポリ（ホスホネートカーボネート）。
【請求項２】
請求項１記載のランダムコポリ（ホスホネートカーボネート）において、前記ランダムコポリ（ホスホネートカーボネート）は、ゲル浸透クロマトグラフィーで測定すると約５，０００ｇ／モル〜約５０，０００ｇ／モルの数平均分子量を有するものである、ランダムコポリ（ホスホネートカーボネート）。
【請求項３】
請求項１記載のランダムコポリ（ホスホネートカーボネート）において、前記ランダムコポリ（ホスホネートカーボネート）は、約２〜約４の多分散性を有するものである、ランダムコポリ（ホスホネートカーボネート）。
【請求項４】
請求項１記載のランダムコポリ（ホスホネートカーボネート）において、前記ランダムコポリ（ホスホネートカーボネート）は、総ランダムコポリ（ホスホネートカーボネート）の重量で約２％〜約１０％のリン含有量を有するものである、ランダムコポリ（ホスホネートカーボネート）。
【請求項５】
請求項１記載のランダムコポリ（ホスホネートカーボネート）において、前記ランダムコポリ（ホスホネートカーボネート）は、重量約０．１５％未満のホスホネートモノマーに由来する総酸性成分を有するものである、ランダムコポリ（ホスホネートカーボネート）。
【請求項６】
請求項１記載のランダムコポリ（ホスホネートカーボネート）において、ジフェニルメチルホスホネート、ジフェニルカーボネート、および２，２−ビス（４−ヒドロキシフェニル）プロパン由来のモノマー単位を有するものである、ランダムコポリ（ホスホネートカーボネート）。
【請求項７】
請求項１記載のランダムコポリ（ホスホネートカーボネート）において、前記ランダムコポリホスホネートは、分岐剤に由来するモノマー単位を有していないものである、ランダムコポリ（ホスホネートカーボネート）。
【請求項８】
請求項１記載のランダムコポリ（ホスホネートカーボネート）において、このランダムコポリ（ホスホネートカーボネート）は、さらに、
充填材、繊維、界面活性剤、有機結合剤、高分子接着剤、架橋形成剤、結合剤、抗滴下剤（ａｎｔｉ−ｄｒｉｐｐｉｎｇ  ａｇｅｎｔ）、潤滑剤、離型剤、核形成剤、帯電防止剤、触媒、着色料、インク、色素、酸化防止剤、安定剤またはその組合せを有するものである、ランダムコポリ（ホスホネートカーボネート）。
【請求項９】
ポリマー混合物であって、
カーボネートおよびホスホネートモノマー由来のランダムに分布したモノマー単位を有し、総ランダムコポリ（ホスホネートカーボネート）の重量で約２％〜約１０％のリン含有量を有し、且つ重量約０．１５％未満のホスホネートモノマーに由来する総酸性成分を有するランダムコポリ（ホスホネートカーボネート）と、
混合物を形成するための少なくとも１つの他のポリマー、オリゴマー、またはその組合せと
を有する、ポリマー混合物。
【請求項１０】
請求項９記載のポリマー混合物において、前記他のポリマー、オリゴマー、またはその組合せがカーボネート、エポキシ、ベンゾオキサジン、アクリレート、アクリロニトリル、エステル、テレフタラート、またはその組合せを有するものである、ポリマー混合物。
【請求項１１】
請求項９記載のポリマー混合物において、前記他のポリマー、オリゴマー、またはその組合せがポリカーボネート、不飽和ポリエステル、ポリアミド、ポリスチレン（耐衝撃性強度ポリスチレンを含む）、ポリ尿素、ポリウレタン、ポリホスホネート、ポリ（アクリロニトリルブタジエンスチレン）、ポリイミド、ポリアリレート、ポリ（アリーレンエーテル）、ポリ（エチレンテレフタラート）、ポリ（トリメチレンテレフタラート）、ポリ（ブチレンテレフタラート）、ポリエチレン、ポリプロピレン、ポリフェニレンサルファイド、ポリ（ビニルエステル）、ポリ塩化ビニル、ビスマレイミドポリマー、ポリ無水物、液晶性ポリマー、セルロース高分子、またはその組合せを有するものである、ポリマー混合物。
【請求項１２】
請求項９記載のポリマー混合物において、このポリマー混合物は、さらに、
充填材、繊維、界面活性剤、有機結合剤、高分子接着剤、架橋形成剤、結合剤、抗滴下剤（ａｎｔｉ−ｄｒｉｐｐｉｎｇ  ａｇｅｎｔ）、潤滑剤、離型剤、核形成剤、帯電防止剤、触媒、着色料、インク、色素、酸化防止剤、安定剤またはその組合せを有するものである、ポリマー混合物。
【請求項１３】
ポリマー混合物であって、
カーボネートおよびホスホネートモノマー由来のランダムに分布したモノマー単位を有し、ゲル浸透クロマトグラフィーで測定すると約１０，０００ｇ／モル〜約１００，０００ｇ／モルの重量平均分子量を有し、且つ約２〜約７の多分散性を有するランダムコポリ（ホスホネートカーボネート）と、
混合物を形成するための少なくとも１つの他のポリマー、オリゴマー、またはその組合せと
を有する、ポリマー混合物。
【請求項１４】
請求項１３記載のポリマー混合物において、前記他のポリマー、オリゴマー、またはその組合せがカーボネート、エポキシ、ベンゾオキサジン、アクリレート、アクリロニトリル、エステル、テレフタラート、またはその組合せを有するものである、ポリマー混合物。
【請求項１５】
請求項１３記載のポリマー混合物において、前記他のポリマー、オリゴマー、またはその組合せがポリカーボネート、不飽和ポリエステル、ポリアミド、ポリスチレン（耐衝撃性強度ポリスチレンを含む）、ポリ尿素、ポリウレタン、ポリホスホネート、ポリ（アクリロニトリルブタジエンスチレン）、ポリイミド、ポリアリレート、ポリ（アリーレンエーテル）、ポリ（エチレンテレフタラート）、ポリ（トリメチレンテレフタラート）、ポリ（ブチレンテレフタラート）、ポリエチレン、ポリプロピレン、ポリフェニレンサルファイド、ポリ（ビニルエステル）、ポリ塩化ビニル、ビスマレイミドポリマー、ポリ無水物、液晶性ポリマー、セルロース高分子、またはその組合せを有するものである、ポリマー混合物。
【請求項１６】
請求項１３記載のポリマー混合物において、このポリマー混合物は、さらに、
充填材、繊維、界面活性剤、有機結合剤、高分子接着剤、架橋形成剤、結合剤、抗滴下剤（ａｎｔｉ−ｄｒｉｐｐｉｎｇ  ａｇｅｎｔ）、潤滑剤、離型剤、核形成剤、帯電防止剤、触媒、着色料、インク、色素、酸化防止剤、安定剤またはその組合せを有するものである、ポリマー混合物。
【請求項１７】
ランダムコポリ（ホスホネートカーボネート）を有する製造品であって、前記ランダムコポリ（ホスホネートカーボネート）は、カーボネートおよびホスホネートモノマー由来のランダムに分布したモノマー単位を有し、ゲル浸透クロマトグラフィーで測定すると、約１０，０００〜約１００，０００グラム／モルの重量平均分子量を有し、且つ約２〜約７の多分散性を有するものである、製造品。
【請求項１８】
請求項１７記載の製造品において、前記ランダムコポリ（ホスホネートカーボネート）は、総ランダムコポリ（ホスホネートカーボネート）の重量で約２％〜約１０％のリン含有量を有する、製造品。
【請求項１９】
請求項１７記載の製造品において、前記ランダムコポリ（ホスホネートカーボネート）は、重量で約０．１５％未満のホスホネートモノマーに由来する総酸性成分を有するものである、製造品。
【請求項２０】
請求項１７記載の製造品において、前記ランダムコポリ（ホスホネートカーボネート）は、少なくとも１つの他のポリマー、オリゴマー、またはその組合せを有する混合物中に存在するものである、製造品。
【請求項２１】
請求項２０記載の製造品において、前記他のポリマー、オリゴマー、またはその組合せがカーボネート、エポキシ、ベンゾオキサジン、アクリレート、アクリロニトリル、エステル、テレフタラート、またはその組合せを有するものである、製造品。
【請求項２２】
請求項２０記載の製造品において、前記他のポリマー、オリゴマー、またはその組合せが不飽和ポリエステル、ポリアミド、ポリスチレン（耐衝撃性強度ポリスチレンを含む）、ポリ尿素、ポリウレタン、ポリホスホネート、ポリ（アクリロニトリルブタジエンスチレン）、ポリイミド、ポリアリレート、ポリ（アリーレンエーテル）、ポリ（エチレンテレフタラート）、ポリ（トリメチレンテレフタラート）、ポリ（ブチレンテレフタラート）、ポリエチレン、ポリプロピレン、ポリフェニレンサルファイド、ポリ（ビニルエステル）、ポリ塩化ビニル、ビスマレイミドポリマー、ポリ無水物、液晶性ポリマー、セルロース高分子、またはその組合せを有するものである、製造品。
【請求項２３】
請求項１７記載の製造品において、この製造品は、さらに、
充填材、繊維、界面活性剤、有機結合剤、高分子接着剤、架橋形成剤、結合剤、抗滴下剤、潤滑剤、離型剤、核形成剤、帯電防止剤、触媒、着色料、インク、色素、酸化防止剤、安定剤またはその組合せを有するものである、製造品。
【請求項２４】
請求項１７記載の製造品において、前記製造品がコーティング、接着剤、プリプレグ、泡、フィルム、繊維、成形品、繊維強化ラミネート、またはその組合せを有するものである、製造品。
【請求項２５】
請求項１７記載の製造品において、前記製造品が消費者製品またはその構成要素若しくはその一部を有するものである、製造品。
【手続補正２】
【補正対象書類名】明細書
【補正対象項目名】０００１
【補正方法】変更
【補正の内容】
【０００１】
関連出願書類の相互参照
この出願書類では、２０１０年９月１６日に提出された、表題「明確なホスホン酸塩含有量を有し、分子量の分布が狭く、ビスフェノールＡを基本とした直線的高分子量ランダムコポリ（ホスホネートカーボネート）の合成および組成」の米国特許仮出願第６１／３８３，６９７号および２０１０年９月１６日に提出された、表題「ビスフェノールを基本とした高分子量ランダムコポリ（ホスホネートカーボネート）」の米国特許仮出願第６１／３８３，６８６号の優先権を請求し、この参照によりその全体が本明細書に組み込まれる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第２，６８２，５２２号明細書
（特許文献２）  米国特許第２，８９１，９１５号明細書
（特許文献３）  米国特許第４，２２３，１０４号明細書
（特許文献４）  米国特許第４，３２２，５２０号明細書
（特許文献５）  米国特許第４，３２８，１７４号明細書
（特許文献６）  米国特許第４，３３１，６１４号明細書
（特許文献７）  米国特許第４，４８１，３５０号明細書
（特許文献８）  米国特許第４，５０８，８９０号明細書
（特許文献９）  米国特許第４，７６２，９０５号明細書
（特許文献１０）  米国特許第４，７８２，１２３号明細書
（特許文献１１）  米国特許第７，６４５，８５０号明細書
（特許文献１２）  米国特許出願公開第２００９／００４３０１３号明細書
（特許文献１３）  米国特許第８，３８９，６６４号明細書
（特許文献１４）  国際公開第２００７／０６５０９４号
（特許文献１５）  米国特許第４，４８１，３５０号明細書